(57)【要約】【課題】排泄口よりも後方の臀部において、吸収性物品のフィット感を向上するとともに、体液（経血など）の後方への漏れを抑制することを可能とする吸収性物品を提供する。【解決手段】吸収性物品１は、表面シート１０、裏面シート２０、吸収体３０及び圧搾溝９０を有する。圧搾溝９０は、１対の第１圧搾溝９１及び１対の第２圧搾溝９２を有する。後部領域の第２圧搾溝９２には、幅方向Ｗの外側に向かう凸形状を有する突出部９２Ａが形成される。突出部９２Ａと第１圧搾溝９１との間の幅方向Ｗの間隔Ｗ２は、中央領域ＲＸにおける第２圧搾溝９２と第１圧搾溝９１との間隔Ｗ１よりも大きい。【選択図】図１
2014018481.tif 000002
【特許請求の範囲】
【請求項１】
前後方向と、前記前後方向と直交する幅方向とを有し、着用者の排泄口に対向して配置される排泄口当接域の中心を含む中央領域と、前記中央領域よりも後方に位置し、かつ前記着用者の臀部に対向して配置される後部領域と、を備える吸収性物品であって、
液透過性の表面シートと、
液不透過性の裏面シートと、
前記表面シートと前記裏面シートとの間に配置される吸収体と、
前記表面シート及び前記吸収体が前記吸収性物品の厚み方向に圧縮された圧搾溝とを備え、
前記圧搾溝は、前記排泄口当接域の中心と前記吸収体の前記幅方向の外側端部との間において、前記中央領域と前記後部領域とに跨がって配置され、前記前後方向に沿って延びる１対の内側圧搾溝と、前記１対の内側圧搾溝よりも前記幅方向の外側に配置され、かつ、前記前後方向に延びる１対の外側圧搾溝とを有し、
前記後部領域の前記外側圧搾溝には、前記幅方向の外側に向かう凸形状を有する突出部が形成されており、
前記外側圧搾溝の前記突出部と前記内側圧搾溝との間の前記幅方向の間隔は、前記中央領域における前記外側圧搾溝と前記内側圧搾溝との間の前記幅方向の間隔よりも大きいことを特徴とする吸収性物品。
【請求項２】
前記外側圧搾溝は、前記前後方向において前記突出部の前側に括れ部を有しており、
前記括れ部は、前記前後方向において前記括れ部の前後の外側圧搾溝よりも、前記幅方向の内側に括れる形状を有することを特徴とする請求項１に記載の吸収性物品。
【請求項３】
前記中央領域の前記外側圧搾溝には、前記幅方向の外側に向かう凸形状を有する中央突出部が形成されており、
前記突出部は、前記中央突出部よりも前記幅方向の外側にに向かう凸形状を有することを特徴とする請求項１に記載の吸収性物品。
【請求項４】
前記圧搾溝は、前記１対の内側圧搾溝に連続するように配置されており、前記幅方向において前記吸収体を横断し、かつ、前記後部領域に形成された横断圧搾溝を有することを特徴とする請求項１に記載の吸収性物品。
【請求項５】
前記１対の外側圧搾溝は、前記後部領域において後側端部を有しており、
前記横断圧搾溝は、前記１対の外側圧搾溝の後側端部に対して後方に設けられることを特徴とする請求項４に記載の吸収性物品。    
【請求項６】
前記突出部の溝幅は、前記内側圧搾溝の溝幅よりも小さいことを特徴とする請求項１に記載の吸収性物品。
【請求項７】
前記圧搾溝は、前記１対の外側圧搾溝に連続するように配置されており、後方に向けて凸形状のＵ字状形状を有し、かつ、前記後部領域に形成されたＵ字状圧搾溝を有し、
前記１対の外側圧搾溝は、前記後部領域において後側端部を有しており、
前記Ｕ字状圧搾溝の前側端部は、前記１対の外側圧搾溝の後側端部よりも前記幅方向の外側に設けられており、かつ、前記１対の外側圧搾溝の後側端部に対して前記前方に設けられることを特徴とする請求項１に記載の吸収性物品。
【発明の詳細な説明】
【技術分野】
【０００１】
本発明は、生理用ナプキン等の吸収性物品に関し、特に、着用者の排泄口に対向して配置される排泄口当接域の中心と吸収体の幅方向の外側端部との間に配置された複数の圧搾溝を備える吸収性物品に関する。
【背景技術】
【０００２】
従来、前後方向と、前後方向と直交する幅方向とを有する吸収性物品が知られている。吸収性物品は、液透過性の表面シートと、液不透過性の裏面シートと、表面シートと裏面シートとの間に配置される吸収体と、表面シート及び吸収体が吸収性物品の厚み方向に圧縮された圧搾溝とを有する（例えば、特許文献１）。特許文献１に係る吸収性物品には、圧搾溝として、内側圧搾溝と、内側圧搾溝よりも幅方向の外側に配置された外側圧搾溝とが設けられている。
【先行技術文献】
【特許文献】
【０００３】
【特許文献１】特開２００７−１２５１８１号公報
【発明の概要】
【発明が解決しようとする課題】
【０００４】
ここで、吸収性物品を着用者が使用するときに、着用者の両太腿の付け根によって、幅方向の内側に向けて中央領域に加えられる力が生じる。このような力によって、圧搾溝を起点として圧搾溝に対して幅方向の外側に設けられる部位が着用者側に立ち上がる。上述した吸収性物品では、このような立ち上がりが中央領域よりも後方に伝わり、中央領域よりも後方において圧搾溝に対して幅方向の外側に設けられる部位が着用者側に立ち上がる。
【０００５】
しかし、一般的に、中央領域が当接する股下部は、脚の付け根の間に位置し、、後方領域が当接する臀部よりも、身体のラインが深くなる。よって、立ち上がりが中央領域よりも後方に伝達されると、このような立ち上がりの伝達によって吸収性物品の形状が維持され、吸収性物品が着用者の臀部に沿ってカーブせずに、着用者の臀部と吸収性物品との間に空洞が形成されてしまい、吸収性物品のフィット感が損なわれ、体液（経血など）の後方への漏れが発生するおそれがある。
【０００６】
そこで、本発明は、上述した課題を解決するためになされたものであり、排泄口よりも後方の臀部において、吸収性物品のフィット感を向上するとともに、体液（経血など）の後方への漏れを抑制することを可能とする吸収性物品を提供することを目的とする。
【課題を解決するための手段】
【０００７】
第１の特徴に係る吸収性物品は、前後方向と、前記前後方向と直交する幅方向とを有し、着用者の排泄口に対向して配置される排泄口当接域の中心を含む中央領域と、前記中央領域よりも後方に位置し、かつ前記着用者の臀部に対向して配置される後部領域と、を備える。吸収性物品は、液透過性の表面シートと、液不透過性の裏面シートと、前記表面シートと前記裏面シートとの間に配置される吸収体と、前記表面シート及び前記吸収体が前記吸収性物品の厚み方向に圧縮された圧搾溝とを備える。前記圧搾溝は、前記排泄口当接域の中心と前記吸収体の前記幅方向の外側端部との間において、前記中央領域と前記後部領域とに跨がって配置され、前記前後方向に沿って延びる１対の内側圧搾溝と、前記１対の内側圧搾溝よりも前記幅方向の外側に配置され、かつ、前記前後方向に延びる１対の外側圧搾溝とを有する。前記後部領域の前記外側圧搾溝には、前記幅方向の外側に向かう凸形状を有する突出部が形成されている。前記外側圧搾溝の前記突出部と前記内側圧搾溝との間の前記幅方向の間隔は、前記中央領域における前記外側圧搾溝と前記内側圧搾溝との間の前記幅方向の間隔よりも大きい。
【発明の効果】
【０００８】
本発明によれば、排泄口よりも後方の臀部において、吸収性物品のフィット感を向上するとともに、体液（経血など）の後方への漏れを抑制することを可能とする吸収性物品を提供することができる。
【図面の簡単な説明】
【０００９】
【図１】図１は、実施形態に係る吸収性物品１の平面図である。
【図２】図２は、実施形態に係る吸収性物品１の背面図である。
【図３】図３は、図１に示すＡ−Ａ断面図である。
【図４】図４は、比較例に係るフィット感を説明するための図である。
【図５】図５は、比較例に係るフィット感を説明するための図である。
【図６】図６は、実施形態に係るフィット感を説明するための図である。
【図７】図７は、実施形態に係るフィット感を説明するための図である。
【図８】図８は、実施形態に係るフィット感を説明するための図である。
【図９】図９は、変更例３に係る吸収性物品１の平面図である。
【発明を実施するための形態】
【００１０】
以下において、本発明の実施形態に係る吸収性物品について、図面を参照しながら説明する。なお、以下の図面の記載において、同一又は類似の部分には、同一又は類似の符号を付している。
【００１１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１２】
［実施形態の概要］
実施形態に係る吸収性物品は、前後方向と、前記前後方向と直交する幅方向とを有し、着用者の排泄口に対向して配置される排泄口当接域の中心を含む中央領域と、前記中央領域よりも後方に位置し、かつ前記着用者の臀部に対向して配置される後部領域と、を備える。吸収性物品は、液透過性の表面シートと、液不透過性の裏面シートと、前記表面シートと前記裏面シートとの間に配置される吸収体と、前記表面シート及び前記吸収体が前記吸収性物品の厚み方向に圧縮された圧搾溝とを備える。前記圧搾溝は、前記排泄口当接域の中心と前記吸収体の前記幅方向の外側端部との間において、前記中央領域と前記後部領域とに跨がって配置され、前記前後方向に沿って延びる１対の内側圧搾溝と、前記１対の内側圧搾溝よりも前記幅方向の外側に配置され、かつ、前記前後方向に延びる１対の外側圧搾溝とを有する。前記後部領域の前記外側圧搾溝には、前記幅方向の外側に向かう凸形状を有する突出部が形成されている。前記外側圧搾溝の前記突出部と前記内側圧搾溝との間の前記幅方向の間隔は、前記中央領域における前記外側圧搾溝と前記内側圧搾溝との間の前記幅方向の間隔よりも大きい。
【００１３】
実施形態では、後部領域の外側圧搾溝には、幅方向の外側に向かう凸形状を有する突出部が形成されている。外側圧搾溝の突出部と内側圧搾溝との間の幅方向の間隔は、中央領域における外側圧搾溝と内側圧搾溝との間の幅方向の間隔よりも大きいため、外側圧搾溝を起点として外側圧搾溝に対して幅方向の外側に設けられる部位が着用者側に立ち上がる角度（以下、立ち上がり角度）は、後方ほど緩やかになる。これによって、排泄口よりも後方の臀部において、吸収性物品のフィット感を向上するとともに、体液（経血など）の後方への漏れを抑制することができる。
【００１４】
［実施形態の詳細］
（吸収性物品）
以下において、実施形態に係る吸収性物品１について、図１〜図３を参照しながら説明する。図１は、吸収性物品１の平面図であり、図２は、吸収性物品１の背面図である。図３は、図１に示すＡ−Ａ断面図である。本実施形態に係る吸収性物品１は、例えば、生理用ナプキンである。
【００１５】
第１に、図１〜図３に示すように、吸収性物品１は、長手方向Ｌ及び幅方向Ｗを有する。長手方向Ｌは、着用者の前後方向に沿って延びる方向であり、幅方向Ｗは、長手方向Ｌと直交する方向である。
【００１６】
吸収性物品１は、液体を透過する液透過性の表面シート１０と、液を透過しない液不透過性の裏面シート２０と、表面シート１０と裏面シート２０との間に配置される吸収体３０とを有する。図１及び図２では、吸収体３０は、破線で示されていることに留意すべきである。
【００１７】
表面シート１０は、体液等の液体を透過する液透過性のシートである。表面シート１０は、少なくとも吸収体３０の表面を覆っており、着用者の肌に当接する側（肌当接面側）に設けられる。
【００１８】
表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１９】
裏面シート２０は、体液等の液体を透過しない液透過性のシートである。裏面シート２０は、少なくとも吸収体３０の裏面を覆っており、着用者の下着に当接する側（非肌当接面側）に設けられる。裏面シート２０は、例えば、表面シート１０の長さと略同一の長さを有する。
【００２０】
裏面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。裏面シート２０は、不透液性且つ透湿性であることが望ましく、例えばポリエチレンやポリプロピレン等のオレフィン系樹脂に無機充填剤を溶融混練したものを延伸処理した微多孔性シートによって構成することができる。
【００２１】
吸収体３０は、長手方向Ｌ（前後方向）に沿って延びる形状を有しており、表面シート１０及び裏面シート２０よりも略一回り程度小さいサイズを有する。幅方向Ｗにおける吸収体３０の幅は、成人女性の股間隔に対応しており、概ね５０〜８０ｍｍである。吸収体３０は、ホットメルトなどの接着剤によって裏面シート２０に接着される。また、吸収体３０と表面シート１０とは、ホットメルトなどの接着剤によって接着されている。
【００２２】
吸収体３０は、経血などの体液を吸収可能な材料によって形成される。吸収体３０は、例えば、親水性繊維、パルプを含む。吸収体３０は、親水性繊維又は親水性粉体をエアレイド法によって積層して形成されてもよく、親水性繊維又は親水性粉体をエアレイド法によってシート状に成形したエアレイドシートであってもよく、ティッシュ（例えば、目付１５ｇ／ｍ２）上に高吸収ポリマーを混入した粉砕パルプを配置し、ティッシュで包むことによって形成されていてもよい。
【００２３】
実施形態に係る吸収体３０は、綿状パルプや合成パルプ等を坪量１００〜３００ｇ／ｍ２程度に積層したパルプを保護紙（図示せず）で包むことによって構成されている。なお、吸収体３０は、全体としてほぼ均一な厚みを有していてもよく、非均一な厚みを有していてもよい。保護紙は、パルプの形状を保持するためのものであり、保護紙としては、例えば、クレープ紙やティッシュペーパーなどを用いることができる。
【００２４】
実施形態において、吸収体３０は、着用者の排泄口に対向して配置される排泄口当接域の中心を含む中央領域ＲＸと重複するように設けられる。排泄口当接域の中心は、中心Ｃとして表されている。は、排泄口当接域の中心と一致することに留意すべきである。
【００２５】
例えば、ウイング部（後述するウイング部４０）を有する吸収性物品については、長手方向Ｌにおける中心Ｃの位置は、長手方向Ｌにおけるウイング部の中心と一致する。一方で、ウイング部を有していない吸収性物品については、長手方向Ｌにおける中心Ｃの位置は、幅方向において吸収体の幅が最も狭い位置と一致する。
【００２６】
例えば、ウイング部（後述するウイング部４０）を有する吸収性物品については、長手方向Ｌにおける中央領域ＲＸの範囲は、長手方向Ｌにおけるウイング部の範囲（すなわち、後述する領域ＲＡと同様の範囲）である。一方で、ウイング部を有していない吸収性物品については、長手方向Ｌにおける中央領域ＲＸの範囲は、幅方向の内側に吸収体が括れている範囲である。
【００２７】
第２に、図１に示すように、吸収性物品１は、ウイング部４０と、フラップ部５０と、括れ部６０とを有する。なお、図１において、長手方向Ｌにおいて、ウイング部４０が設けられる領域が領域ＲＡとして表されており、フラップ部５０が設けられる領域が領域ＲＢとして表されており、括れ部６０が設けられる領域が領域ＲＣとして表されている。
【００２８】
実施形態において、排泄口当接域の中心を含む領域を中央領域ＲＸと称する。中央領域ＲＸは、上述したように、領域ＲＡと同様である。また、中央領域ＲＸよりも後方に位置し、かつ、着用者の臀部に対向して配置される領域を後部領域ＲＹと称する。後部領域ＲＹは、中央領域ＲＸよりも後方の領域であればよい。ここでは、後部領域ＲＹは、領域ＲＢ及び領域ＲＣをを含む。
【００２９】
ウイング部４０は、吸収体３０に対して幅方向Ｗの外側に配置される。ウイング部４０は、非肌当接面側に折り返されて、下着を巻き込んで吸収性物品１を下着に固定するように構成されている。ウイング部４０は、吸収体３０（中央領域ＲＸ）から幅方向Ｗの外側に延出している。
【００３０】
ウイング部４０は、長手方向Ｌにおいて前側の端部を構成する前側端部４０Ｆと、長手方向Ｌにおいて後側の端部を構成する後側端部４０Ｒとを有する。また、ウイング部４０において最も幅方向Ｗの外側に位置する部位をウイング最大幅位置４０ＷＭと称する。ウイング部４０は、前側端部４０Ｆ及び後側端部４０Ｒは、ウイング最大幅位置４０ＷＭよりも幅方向Ｗの内側に位置する。
【００３１】
実施形態において、前側端部４０Ｆは、後側端部４０Ｒよりも幅方向Ｗの内側に位置する。従って、前側端部４０Ｆを通る折り目を起点として長手方向Ｌに沿ってウイング部４０を下着の非肌当接面側に折り返した状態では、前側端部４０Ｆよりも後側端部４０Ｒの方が下着の非肌当接面側に巻き込まれる幅が長くなる。
【００３２】
フラップ部５０は、ウイング部４０の後方に配置されており、吸収体３０に対して幅方向Ｗの外側に配置される。フラップ部５０は、吸収体３０よりも幅方向Ｗの外側に延出した領域である。また、フラップ部５０において最も幅方向Ｗの外側に位置する部位をフラップ最大幅位置５０ＷＭと称する。実施形態において、フラップ部５０は、後述する括れ部６０の後側端部から後方に延びている。
【００３３】
フラップ部５０の前側端部は、後述する括れ部６０の後側端部である。フラップ部５０の後側端部は、吸収性物品１の後側端部の近傍において前後の領域よりも内側に括れた部分である。実施形態では、フラップ部５０の後側端部は、後述する凹み部８０の後側端部７０Ｒと一致する。但し、フラップ部５０の後側端部は、吸収性物品１の後側端部と一致していてもよいし、吸収性物品１の後側端部と一致していなくてもよい。
【００３４】
実施形態において、フラップ部５０は、第１フラップ括れ部５１と、第２フラップ括れ部５２と、第１フラップ部５３と、第２フラップ部５４と、第３フラップ部５５とを有する。
【００３５】
第１フラップ括れ部５１は、第１フラップ括れ部５１の前後の部位と比べて、幅方向Ｗの内側に括れている。同様に、第２フラップ括れ部５２は、第２フラップ括れ部５２の部位と比べて、幅方向Ｗの内側に括れている。第２フラップ括れ部５２は、第１フラップ括れ部５１よりも後方に設けられている。
【００３６】
第１フラップ部５３は、括れ部６０の後側端部６０Ｒから第１フラップ括れ部５１までの領域である。第１フラップ部５３は、後側端部６０Ｒから後方に向かうにつれて、幅方向Ｗの外側に張り出している。第１フラップ部５３において最も幅方向Ｗの外側に位置する部位を第１最大幅位置５３ＷＭと称する。第１最大幅位置５３ＷＭは、第１フラップ括れ部５１よりも幅方向Ｗの外側に位置する。第１最大幅位置５３ＷＭは、長手方向Ｌ（前後方向）において第１フラップ部５３の中心よりも後方に位置する。
【００３７】
第２フラップ部５４は、第１フラップ部５３の後側端部（第１フラップ括れ部５１）から第２フラップ括れ部５２までの領域である。第２フラップ部５４は、第１フラップ括れ部５１から後方に向かうにつれて幅方向Ｗの外側に張り出している。第２フラップ部５４において最も幅方向Ｗの外側に位置する部位を第２最大幅位置５４ＷＭと称する。第２最大幅位置５４ＷＭは、第２フラップ括れ部５２よりも幅方向Ｗの外側に位置する。第２最大幅位置５４ＷＭは、長手方向Ｌ（前後方向）において第２フラップ部５４の中心よりも後方に位置する。
【００３８】
第３フラップ部５５は、第２フラップ部５４の後側端部（第２フラップ括れ部５２）からフラップ部５０の後側端部までの領域である。第３フラップ部５５は、第２フラップ括れ部５２から後方に向かうにつれて幅方向Ｗの外側に張り出している。第３フラップ部５５において最も幅方向Ｗの外側に位置する部位を第３最大幅位置５５ＷＭと称する。第３最大幅位置５５ＷＭは、第３フラップ部５５において最も幅方向Ｗの外側に位置する。第３最大幅位置５５ＷＭは、長手方向Ｌ（前後方向）において第３フラップ部５５の中心よりも後方に位置する。ここで、第３最大幅位置５５ＷＭは、フラップ部５０の最大幅位置を構成することに留意すべきである。
【００３９】
括れ部６０は、ウイング部４０とフラップ部５０との間に設けられる。括れ部６０は、ウイング最大幅位置４０ＷＭ及びフラップ最大幅位置５０ＷＭよりも幅方向Ｗの内側に向けて括れている。
【００４０】
実施形態において、括れ部６０は、ウイング部４０とフラップ部５０との間において、最も幅方向Ｗの内側に位置する幅狭位置６０ＷＮを含む領域である。括れ部６０は、幅狭位置６０ＷＮの近傍の領域であればよく、例えば、長手方向Ｌ（前後方向）において幅狭位置６０ＷＮから５ｍｍの領域であってもよい。
【００４１】
実施形態において、吸収性物品１が下着に装着された状態において、括れ部６０よりも前方のウイング部４０が下着の非肌当接面側に折り返され、括れ部６０よりも後方のフラップ部５０が着用者の身体に対向するように配置される。従って、括れ部６０には、ウイング部４０を折り返しす折り目の端部が位置しており、このような端部を起点として捻れが生じることに留意すべきである。
【００４２】
第３に、図１及び図３に示すように、吸収性物品１は、サイドシート７１と、中間シート７２とを有する。
【００４３】
サイドシート７１は、幅方向Ｗにおいて吸収体３０の外側に配置されており、表面シート１０の両側に配置される。サイドシート７１は、表面シート１０と同様に、吸収体３０よりも肌当接面側に配置される。
【００４４】
具体的には、サイドシート７１は、吸収体３０の側縁の一部、ウイング部４０及びフラップ部５０を覆っており、フラップ部５０及びウイング部４０の肌当接面側に配置される。なお、サイドシート７１は、表面シート１０の一部と考えてもよい。
【００４５】
サイドシート７１の材料は、表面シート１０と同様の材料の中から選ぶことができる。但し、サイドシート７１は、サイドシート７１を乗り越えて吸収性物品１の外側へ体液（経血など）が流れることを防止するために、疎水性又は撥水性を有することが好ましい。
【００４６】
実施形態では、サイドシート７１は、エアースルー不織布によって構成されている。エアースルー不織布は、不織布に熱風を吹き付け、吹き付けた熱風が貫通することによって嵩が回復されるため、柔らかく肌触りがよい。従って、フラップ部５０の質感を向上させることができる。身体に沿ってフラップ部５０を配置した際に、フラップ部５０の質感を向上させ、装着感をより向上させることができる。
【００４７】
中間シート７２は、ウイング部４０及びフラップ部５０において、サイドシート７１と裏面シート２０との間に設けられる。幅方向Ｗにおける中間シート７２の外側端部は、幅方向Ｗにおける吸収体３０の外側端部よりも幅方向Ｗの外側に配置されている。具体的には、中間シート７２は、ウイング部４０の一部と、フラップ部５０の一部と、括れ部６０とに配置されている。なお、接着剤等を介して中間シート７２と吸収体３０とを密着させることにより、吸収体３０と中間シート７２とを一体化して、吸収体３０の面積を広く見せるような視覚的効果を発揮できる。
【００４８】
実施形態において、中間シート７２は、エアースルー不織布によって構成されている。エアースルー不織布は、不織布に熱風を吹き付け、吹き付けた熱風が貫通することによって嵩が回復されるため、柔らかく肌触りがよい。従って、身体に沿ってフラップ部５０を配置した際に、装着感をより向上させることができる。
【００４９】
上述したように、ウイング部４０を下着の非肌当接面側に折り返した状態において、括れ部６０で捻れが生じ易い。このような捻れが生じる括れ部６０に中間シート７２を配置することによって、捻れによってフラップ部５０が硬くなることを抑制し、肌に対する刺激を低減することができる。
【００５０】
中間シート７２を設けることによって、中間シート７２が配置されている領域と中間シート７２が配置されていない領域との境界で厚み差や剛性差が生じる。従って、フラップ部５０は、中間シート７２の端部を起点として変形しやすい。
【００５１】
また、吸収性物品１は、長手方向Ｌに沿った折り目や幅方向Ｗに沿った折り目を起点として折り畳まれた状態でフィルムや不織布によって個別に包装される。このように折り畳まれた吸収性物品１は、折り畳まれた際の折り癖が残り、吸収性物品１を平面状に展開し難くなることがある。
【００５２】
しかしながら、例えば、繊維の自由度が比較的高いエアースルー不織布によって中間シート７２を構成することによって、折り癖が付きにくく、吸収性物品１を容易に装着することが可能となる。このような観点から、中間シート７２は、吸収性物品１が折り畳まれる際に形成される折り目を跨っていることが望ましい。
【００５３】
中間シート７２は、少なくともサイドシート７１と接着剤を介して間欠的に接合される。実施形態において、中間シート７２は、スパイラル状に配置されたホットメルト接着剤を介して表面シート１０及び裏面シート２０に接着される。中間シート７２と表面シート１０等とを間欠的に接合することによって、表面シート１０に対して中間シート７２を部分的に相対移動でき、柔らかい質感を維持することができる。
【００５４】
なお、吸収性物品１では、表面シート１０、サイドシート７１、中間シート７２及び裏面シート２０の周縁が接合されて、吸収体３０が内封される。表面シート１０と裏面シート２０との接合方法としては、ヒートエンボス加工、超音波、又はホットメルト接着剤のいずれか一つ、又は複数を組み合わせることが可能である。
【００５５】
裏面シート２０において、下着と接触する表面には、複数の領域において接着剤が塗布された接着部が設けられている（図２参照）。接着部は、吸収体の裏面側に設けられ、下着のクロッチ部に吸収性物品１を固定するための中央接着部７５と、ウイング部４０の裏面側に設けられ、クロッチ部を巻き込んでウイング部４０を固定するためのウイング接着部７６と、フラップ部５０の裏面側に設けられ、下着の後身頃に対してフラップ部５０を開いた状態で固定するためのフラップ接着部７７とを有する。
【００５６】
使用前の状態では、接着剤は、図示しない剥離シートに接している。剥離シートは、使用前に接着剤が劣化することを抑制する。剥離シートは、吸収性物品１の装着時に着用者によって剥離される。
【００５７】
なお、剥離シートを有していない吸収性物品については、吸収性物品を個別に包装する包装シートによって、吸収性物品１の装着前に接着剤が劣化することが抑制されていてもよい。接着剤と包装シートが接する場合には、包装シートの表面には、接着剤の接着力を低下させることなく、接着剤を剥離可能とする処理を施すことが望ましい。
【００５８】
また、ウイング接着部７６及びフラップ接着部７７は、中間シート７２が配置された領域に設けられている。中間シート７２を設けることによって、裏面シート２０を補強することができる。従って、低目付の材料によって裏面シート２０を構成した場合であっても、裏面シート２０の強度を保ち易くなり、吸収性物品１の着用後に吸収性物品１を下着から剥がす際に、裏面シート２０の破れが抑制される。
【００５９】
第４に、図１及び図３に示すように、吸収性物品１は、凹み部８０と、圧搾溝９０とを有する。
【００６０】
凹み部８０は、厚み方向Ｔにおいて凹む形状を有する。凹み部８０は、フラップ部５０及び括れ部６０に設けられる。図３に示すように、表面シート１０側から裏面シート２０側に向けて、サイドシート７１、中間シート７２及び裏面シート２０を厚み方向Ｔに向けて圧縮することによって、凹み部８０が形成される。
【００６１】
実施形態では、凹み部８０において、表面シート１０の一部を構成するサイドシート７１側から裏面シート２０側に向けて、サイドシート７１、中間シート７２及び裏面シート２０が圧縮されている。表面シート１０側から裏面シート２０側への圧縮によって凹み部８０を形成することによって、凹み部８０を形成する際に、表面シート１０を構成するフィルムの破れが抑制される。
【００６２】
凹み部８０は、括れ部６０の幅狭位置６０ＷＮから後方に向かって延びている。凹み部８０の前側端部８０Ｆは、括れ部６０の幅狭位置６０ＷＮであり、凹み部８０の後側端部７０Ｒは、フラップ部５０の後側端部である。なお、前側端部８０Ｆは、括れ部６０に設けられていればよく、幅狭位置６０ＷＮと一致していてもく、幅狭位置６０ＷＮと一致していなくてもよい。後側端部７０Ｒは、フラップ部５０の後側端部と一致していてもく、フラップ部５０の後側端部と一致していなくてもよい。
【００６３】
凹み部８０は、ウイング部４０が下着の非肌当接面側に折り返された状態において、下着の非肌当接面側においてフラップ部５０が折り返される起点となる。凹み部８０を起点としてフラップ部５０が折り返されることによって、凹み部８０よりも幅方向Ｗの外側においてフラップ部５０の肌当接面が着用者に対向する。凹み部８０は、表面シート１０側から裏面シート２０側への圧縮によって形成されるため、表面シート１０側から裏面シート２０側に向けて凹んでいる。従って、凹み部８０を起点としてフラップ部５０が折り返されやすい。
【００６４】
また、凹み部８０は、括れ部６０から後方に向かうにつれて幅方向Ｗの内側に向かって延びる。従って、ウイング部４０が折り返され、かつ、凹み部８０を起点としてフラップ部５０が折り返された状態において、非肌当接面側に露出するフラップ部５０の面積が少なくなる。
【００６５】
凹み部８０は、吸収体３０を挟んで一対で配置されている。一対の凹み部８０の間の距離は、フラップ最大幅位置５０ＷＭよりも前方において最も短い。凹み部８０は、一対の凹み部８０の間の距離が短くなった後に、後方に向かって幅方向Ｗの外側に向かって延びる。従って、後方の領域においてフラップ部５０が広がりやすい。
【００６６】
吸収性物品１が個別に包装される場合には、吸収性物品１を折り畳む際に形成される折り目を跨るように、凹み部８０を形成することが望ましい。吸収性物品１を折り畳む際に形成される折り目を跨って凹み部８０が形成されるため、凹み部８０を起点としてフラップ部５０が折り畳まれる際に、凹み部８０に沿って吸収性物品１の折り癖が延びるように吸収性物品１が変形する。従って、フラップ部５０の変形を起点として凹み部８０が安定して機能しやすい。
【００６７】
実施形態において、フラップ部５０には、フラップ凹み部が形成される。フラップ凹み部は、厚み方向Ｔにおいて凹む形状を有する。表面シート１０側から裏面シート２０側に向けて、サイドシート７１、中間シート７２及び裏面シート２０を厚み方向Ｔに向けて圧縮することによって、フラップ凹み部が形成される。
【００６８】
フラップ凹み部としては、第１フラップ凹み部８１、第２フラップ凹み部８２及び第３フラップ凹み部８３が設けられる。第１フラップ凹み部８１は、凹み部８０から分岐して第１フラップ括れ部５１に到達する。第２フラップ凹み部８２は、凹み部８０から分岐して第２フラップ括れ部５２に到達する。第３フラップ凹み部８３は、凹み部８０から分岐して第３最大幅位置５５ＷＭの近傍に達する。
【００６９】
第１フラップ凹み部８１、第２フラップ凹み部８２及び第３フラップ凹み部８３は、後方に向かうにつれて幅方向Ｗの内側から幅方向Ｗの外側に延びる。後方に向かうにつれて幅方向Ｗの内側から幅方向Ｗの外側に延びるようにフラップ凹み部を形成することによって、吸収性物品１の装着時に生じる応力にフラップ凹み部が沿うため、フラップ凹み部を起点としてフラップ部５０が自然と折り畳まれる。従って、フラップ部５０が身体に対しても、下着に対しても無理なく適合しやすい。これによって、フラップ部５０に無秩序な皺が生じにくく、違和感のないフラップ部５０の変形が促進され、すっきりした装着感が得られる。
【００７０】
圧搾溝９０は、表面シート１０及び吸収体３０を厚み方向Ｔに圧縮された溝である。圧搾溝９０は、排泄口当接域の中心Ｃと吸収体３０の幅方向Ｗの外側端部との間において中央領域ＲＸと後部領域ＲＹとに跨がって配置される。圧搾溝９０は、長手方向Ｌに沿って延びる１対の第１圧搾溝９１と、第１圧搾溝９１よりも幅方向Ｗの外側に配置され、長手方向Ｌに沿って延びる１対の第２圧搾溝９２とを有する。
【００７１】
第２圧搾溝９２は、中央領域ＲＸに対して前方及び後方において端部を有する。ここでは、第２圧搾溝９２の前側の端部を前側端部９２Ｆと称し、第２圧搾溝９２の後側の端部を後側端部９２Ｒと称する。言い換えると、第２圧搾溝９２は、後部領域ＲＹに後側端部９２Ｒを有する。
【００７２】
実施形態では、第２圧搾溝９２は、突出部９２Ａ及び括れ部９２Ｂを有する。突出部９２Ａは、第２圧搾溝９２の後部領域ＲＹに形成されており、幅方向Ｗの外側に向かう凸形状を有する。突出部９２Ａは、図１に示すように、後方にいくにつれて、幅方向Ｗの外側に向かってから幅方向Ｗの内側に向けっていてもよい。括れ部９２Ｂは、長手方向Ｌ（前後方向）において突出部９２Ａの前側に設けられる。括れ部９２Ｂは、長手方向Ｌ（前後方向）において括れ部９２Ｂの前後の第２圧搾溝９２よりも、幅方向Ｗの内側に括れる形状を有する。
【００７３】
実施形態では、第２圧搾溝９２の突出部９２Ａと第１圧搾溝９１との間の幅方向Ｗの間隔Ｗ２は、中央領域ＲＸにおける第２圧搾溝９２と第１圧搾溝９１との間隔Ｗ１よりも大きい。
【００７４】
これによって、第２圧搾溝９２を起点として第２圧搾溝９２に対して幅方向Ｗの外側に設けられる部位が着用者側に立ち上がる角度（立ち上がり角度）は、後方ほど緩やかになる。これによって、排泄口よりも後方の臀部において、吸収性物品１のフィット感を向上するとともに、体液（経血など）の後方への漏れを抑制することができる。
【００７５】
また、前後の部位よりも幅方向Ｗの内側に括れている括れ部９２Ｂが突出部９２Ａの前側に設けられているため、第２圧搾溝９２を起点として第２圧搾溝９２に対して幅方向Ｗの外側に設けられる部位が着用者側に立ち上がる応力が括れ部９２Ｂで終端する。従って、括れ部の後方において立ち上がり角度がさらに緩やかになる。
【００７６】
第２圧搾溝９２の括れ部９２Ｂと第１圧搾溝９１との間の幅方向Ｗの間隔は、長手方向Ｌ（前後方向）において括れ部９２Ｂの前後の第２圧搾溝９２と第１圧搾溝９１との間隔よりも小さいことが好ましい。これによって、第２圧搾溝９２を起点として第２圧搾溝９２に対して幅方向Ｗの外側に設けられる部位が着用者側に立ち上がる応力が括れ部９２Ｂで終端しやすい。従って、括れ部の後方において立ち上がり角度がさらに緩やかになる。
【００７７】
実施形態において、括れ部９２Ｂの前方において、第２圧搾溝９２と第１圧搾溝９１との間の幅方向Ｗの間隔は、一定であることが好ましい。すなわち、括れ部９２Ｂの前方において、第２圧搾溝９２及び第１圧搾溝９１は、平行であることが好ましい。これによって、第２圧搾溝９２及び第１圧搾溝９１とサイドシート７１との重複が回避される。サイドシート７１は疎水性を有するため、このような重複の回避によって、サイドシート７１の疎水性に起因する体液の吸収の阻害が抑制される。
【００７８】
なお、第２圧搾溝９２及び第１圧搾溝９１を幅方向Ｗの内側に向かうように形成することによって、第２圧搾溝９２及び第１圧搾溝９１とサイドシート７１との重複を回避することが考えられるが、第２圧搾溝９２及び第１圧搾溝９１の幅方向Ｗの内側において、吸収体３０が体液を吸収する領域が減少してしまう。従って、第２圧搾溝９２及び第１圧搾溝９１を幅方向Ｗの内側に向かうように形成することは好ましくない。
【００７９】
実施形態では、圧搾溝９０は、第３後側圧搾溝９３と、第３前側圧搾溝９４と、第４後側圧搾溝９５と、第４前側圧搾溝９６とを有する。
【００８０】
第３後側圧搾溝９３は、長手方向Ｌにおいて、第４後側圧搾溝９５よりも内側（前側）に設けられる。第３後側圧搾溝９３は、ウイング部４０の前側端部４０Ｆよりも後方に設けられることが好ましい。さらには、第３後側圧搾溝９３は、第２圧搾溝９２の後側端部９２Ｒに対して後方に設けられることが好ましい。同様に、第３前側圧搾溝９４は、長手方向Ｌにおいて、第４前側圧搾溝９６よりも内側に設けられる。第３前側圧搾溝９４は、ウイング部４０の前側端部４０Ｆよりも前方に設けられることが好ましい。さらには、第３前側圧搾溝９４は、第２圧搾溝９２の前側端部９２Ｆに対して前方に設けられることが好ましい。
【００８１】
実施形態において、第３後側圧搾溝９３は、中央領域ＲＸに対して後方（後部領域ＲＹ）において、１対の第１圧搾溝９１と連続するように配置されており、吸収体３０を横断する横断圧搾溝である。第３後側圧搾溝９３は、１対の第１圧搾溝９１と連続であってもよく、１対の第１圧搾溝９１と非連続であってもよい。
【００８２】
また、第３前側圧搾溝９４は、中央領域ＲＸに対して前方において、１対の第１圧搾溝９１と連続するように配置されており、吸収体３０を横断する横断圧搾溝である。第３後側圧搾溝９３は、１対の第１圧搾溝９１と連続であってもよく、１対の第１圧搾溝９１と非連続であってもよい。
【００８３】
このように、中央領域ＲＸに対して後方（後部領域ＲＹ）において、圧搾溝９０が第３後側圧搾溝９３を含むため、排泄口に当接する中央領域に排出され、後方に伝播する体液を第３後側圧搾溝９３で吸収・保持し、第３後側圧搾溝９３よりも後方へ体液が伝播することを抑制できる。よって、吸収性物品の後方での漏れを抑制できる。
【００８４】
また、１対の第１圧搾溝９１と連続するように配置された第３後側圧搾溝９３が第２圧搾溝９２の後側端部９２Ｒに対して後方に設けられるため、吸収体３０によって吸収された体液（経血など）の拡散を第２圧搾溝９２によって抑制できない場合であっても、１対の第１圧搾溝９１及び第３後側圧搾溝９３によって体液の拡散を抑制することができ、防漏性が向上する。また、１対の第１圧搾溝９１及び第３後側圧搾溝９３の内側領域を十分に確保しやすく、第３後側圧搾溝９３の前方において吸収体３０によって吸収された体液（経血など）を吸収する領域が十分に確保しやすい。
【００８５】
同様に、中央領域ＲＸに対して前方において、圧搾溝９０が第３前側圧搾溝９４を含むため、吸収体３０によって吸収された体液（経血など）の後方への伝達が第３前側圧搾溝９４によって抑制される。
【００８６】
また、第３前側圧搾溝９４が第２圧搾溝９２の前側端部９２Ｆに対して前方に設けられるため、吸収体３０によって吸収された体液（経血など）の拡散を第２圧搾溝９２によって抑制できない場合であっても、１対の第１圧搾溝９１及び第３前側圧搾溝９４によって体液の拡散を抑制することができ、防漏性が向上する。また、１対の第１圧搾溝９１及び第３前側圧搾溝９４の内側領域を十分に確保しやすく、第３前側圧搾溝９４の後方において吸収体３０によって吸収された体液（経血など）を吸収する領域が十分に確保しやすい。
【００８７】
第４後側圧搾溝９５は、第３後側圧搾溝９３に対して後方（後部領域ＲＹ）において、１対の第２圧搾溝９２と連続するように配置されており、後方に向けて凸形状のＵ字形状を有する。但し、第４後側圧搾溝９５は、１対の第２圧搾溝９２と非連続であることに留意すべきである。ここでは、第４後側圧搾溝９５の前側の端部を前側端部９５Ｆと称する。なお、Ｕ字形状とは、前方が開放された形状であればよく、Ｕ字形状の曲率等については特に限定されるものではない。Ｕ字形状とは、角張った形状であってもよい。
【００８８】
第４後側圧搾溝９５の前側端部９５Ｆは、第２圧搾溝９２の後側端部９２Ｒよりも幅方向Ｗの外側に設けられており、かつ、第２圧搾溝９２の後側端部９２Ｒに対して前方に設けられることが好ましい
第４前側圧搾溝９６は、第３前側圧搾溝９４に対して前方において、１対の第２圧搾溝９２と連続するように配置されており、前方に向けて凸形状のＵ字形状を有する。但し、第４前側圧搾溝９６は、１対の第２圧搾溝９２と非連続であることに留意すべきである。ここでは、第４前側圧搾溝９６の後側の端部を後側端部９６Ｒと称する。なお、Ｕ字形状とは、前方が開放された形状であればよく、Ｕ字形状の曲率等については特に限定されるものではない。Ｕ字形状とは、角張った形状であってもよい。
【００８９】
第４前側圧搾溝９６の後側端部９６Ｒは、第２圧搾溝９２の前側端部９２Ｆよりも幅方向Ｗの外側に設けられており、かつ、第２圧搾溝９２の前側端部９２Ｆに対して後方に設けられていてもよい。
【００９０】
このように、第４後側圧搾溝９５の前側端部９５Ｆは、第２圧搾溝９２の後側端部９２Ｒよりも幅方向Ｗの外側に設けられており、かつ、第２圧搾溝９２の後側端部９２Ｒに対して前方に設けられる。すなわち、幅方向Ｗにおいて第４後側圧搾溝９５及び第２圧搾溝９２が重複する部分がある。従って、吸収体３０によって吸収された体液（経血など）の幅方向Ｗへの伝達が抑制される。
【００９１】
同様に、第４前側圧搾溝９６の後側端部９６Ｒは、第２圧搾溝９２の前側端部９２Ｆよりも幅方向Ｗの外側に設けられており、かつ、第２圧搾溝９２の前側端部９２Ｆに対して後方に設けられていれば、幅方向Ｗにおいて第４前側圧搾溝９６及び第２圧搾溝９２が重複する部分がある。従って、吸収体３０によって吸収された体液（経血など）の幅方向Ｗへの伝達が抑制される。
【００９２】
実施形態では、第３後側圧搾溝９３及び第４後側圧搾溝９５がウイング部４０の前側端部４０Ｆよりも後方に設けられるため、第１圧搾溝９１及び第２圧搾溝９２の折り目を起点とする応力によって生じる変形が第３後側圧搾溝９３及び第４後側圧搾溝９５によって終端する。これによって、立ち上がり角度が後方ほど緩やかになる。
【００９３】
同様に、第３前側圧搾溝９４及び第４前側圧搾溝９６がウイング部４０の前側端部４０Ｆよりも後方に設けられるため、第１圧搾溝９１及び第２圧搾溝９２の折り目を起点とする応力によって生じる変形が第３前側圧搾溝９４及び第４前側圧搾溝９６によって終端する。これによって、立ち上がり角度が前方ほど緩やかになる。
【００９４】
（フィット感）
第１に、比較例に係るフィット感について、図４及び図５を参照しながら説明する。図４は、中央領域ＲＸにおける幅方向Ｗの断面を示す図である。図５は、中央領域ＲＸに対して後方の部位（実施形態に係る突出部９２Ａが設けられる部位）における幅方向Ｗの断面図である。
【００９５】
比較例に係る吸収性物品においては、外側圧搾溝が突出部（実施形態に係る突出部９２Ａ）を有しておらず、内側圧搾溝と外側圧搾溝との幅方向Ｗの間隔は、長手方向Ｌにおいて不変である。
【００９６】
図４及び図５に示すように、内側圧搾溝を起点として、内側圧搾溝に対して幅方向Ｗの外側に設けられる部位が着用者側に立ち上がる。同様に、外側圧搾溝を起点として、外側圧搾溝に対して幅方向Ｗの外側に設けられる部位が着用者側に立ち上がる。
【００９７】
図４に示すように、中央領域ＲＸにおいては、着用者（排泄口）と吸収性物品１との密着性が高い。一方で、図５に示すように、中央領域ＲＸに対して後方の部位においては、外側圧搾溝を起点とする立ち上がり角度が前方と同様の角度で維持されるため、着用者（臀部）と吸収性物品１との密着性が低い。すなわち、着用者（臀部）と吸収性物品１との間に空間が形成される。
【００９８】
第２に、実施形態に係るフィット感について、図６及び図７を参照しながら説明する。図６は、中央領域ＲＸにおける幅方向Ｗの断面を示す図である。図７は、中央領域ＲＸに対して後方の部位（実施形態に係る突出部９２Ａが設けられる部位）における幅方向Ｗの断面図である。
【００９９】
上述したように、実施形態に係る吸収性物品１においては、第２圧搾溝９２が突出部９２Ａを有しており、第２圧搾溝９２と第１圧搾溝９１との幅方向Ｗの間隔は、突出部９２Ａが設けられる部位において拡がっている。
【０１００】
図６及び図７に示すように、第１圧搾溝９１を起点として、第１圧搾溝９１に対して幅方向Ｗの外側に設けられる部位が着用者側に立ち上がる。同様に、第２圧搾溝９２を起点として、第２圧搾溝９２に対して幅方向Ｗの外側に設けられる部位が着用者側に立ち上がる。
【０１０１】
図６に示すように、中央領域ＲＸにおいては、着用者（排泄口）と吸収性物品１との密着性が高い。また、図７に示すように、中央領域ＲＸに対して後方の部位においては、第２圧搾溝９２を起点とする立ち上がり角度が小さいため、着用者（臀部）と吸収性物品１との密着性が高い。言い換えると、図５に示す空間が形成されずに、吸収性物品１のフィット感が向上し、体液の後方への漏れも抑制される。
【０１０２】
詳細には、図８に示すように、着用者の腿によって中央領域ＲＸが幅方向Ｗの内側への応力がかかった場合において、中央領域ＲＸに対して幅方向Ｗの外側に設けられる１対の第２圧搾溝９２の間隔が狭まったとしても、後方にいくほど、第２圧搾溝９２を起点とする折り目の応力が幅方向Ｗの外側に逃げる。従って、第２圧搾溝９２を起点とする立ち上がり角度が後方ほど緩やかになる。
【０１０３】
このような作用は、主として、突出部９２Ａと第１圧搾溝９１との間の幅方向Ｗの間隔Ｗ２が中央領域ＲＸにおける第２圧搾溝９２と第１圧搾溝９１との間隔Ｗ１よりも大きいことによって得られる。また、括れ部９２Ｂが突出部９２Ａの前側に設けられていることも、このような作用に寄与している。
【０１０４】
（吸収性物品の製造方法）
以下において、実施形態に係る吸収性物品１の製造方法の一部について説明する。なお、説明しない方法については、既存の方法を用いることができる。
【０１０５】
第１ステップにおいて、表面シート１０を生成する（表面シート生成工程）。上述したように、表面シート１０は、サイドシート７１を含んでいてもよい。
【０１０６】
第２ステップにおいて、表面シート１０を構成する各シートを接合する（表面シート接合工程）。例えば、表面シート１０を構成する各シートを熱溶着によって接着する。
【０１０７】
第３ステップにおいて、吸収体３０を成型する（吸収体成型工程）。具体的には、成型ドラムによって吸収体３０の材料となるパルプを成型して吸収体３０を成型する。なお、第１ステップ及び第２ステップが行われる順序は、第３ステップの後であってもよい。
【０１０８】
第４ステップにおいて、表面シート１０及び吸収体３０を接合する（接合工程）。
【０１０９】
第５ステップにおいて、吸収体３０及び表面シート１０を厚み方向Ｔに圧縮して、圧搾部を形成する（第１圧搾工程）。
【０１１０】
第６ステップにおいて、第５ステップで形成された中間生成物に裏面シート２０を接合する（裏面シート接合工程）。
【０１１１】
第７ステップにおいて、サイドシート７１、中間シート７２及び裏面シート２０を厚み方向Ｔに圧縮して、凹み部８０を形成する（第２圧搾工程）。
【０１１２】
第８ステップにおいて、第７ステップで形成された中間生成物に接着剤を塗布する（接着剤塗布工程）。
【０１１３】
このようなステップによって、実施形態に係る吸収性物品１を製造することができる。
【０１１４】
（厚みの測定方法）
吸収性物品１の厚みは、例えば、以下の方法で測定することができる。まず、吸収性物品を液体窒素に含浸させて、吸収性物品１を凍結させる。次いで、剃刀によって凍結させた吸収性物品１を切断した後、切断した吸収性物品１を常温に戻して解凍する。そして、切断面における吸収性物品１の厚みを電子顕微鏡（キーエンス社製 ＶＥ７８００）によって測定する。
【０１１５】
（密度及び目付の測定方法）
吸収体３０の目付及び密度は、例えば、以下の測定方法によって測定することができる。包装体によって包装された吸収性物品１においては包装体を開封し、折り畳まれた吸収性物品１を展開して、目付及び密度を測定する部分の厚み及び面積を測定する。次いで、目付及び密度を測定する部分を吸収性物品１から切り出し、切り出した部分の重量を測定する。次いで、切り出した部分から表面シート１０及び裏面シート２０等、吸収体３０以外の部分を取り除き、吸収体３０の重量を測定する。吸収体３０の重量と、目付及び密度を測定する部分の面積とに基づいて目付を算出する。目付及び厚みに基づいて、密度を算出する。
【０１１６】
［変更例１］
以下において、実施形態の変更例１について説明する。実施形態では、特に触れていないが、中央領域ＲＸの第２圧搾溝９２には、幅方向Ｗの外側に向かう凸形状を有する中央突出部が形成される。このようなケースにおいて、上述した突出部９２Ａは、中央突出部よりも幅方向Ｗの外側に向かう凸形状を有する。これによって、第２圧搾溝９２を起点とする立ち上がりが適切に抑制される。
【０１１７】
［変更例２］
以下において、実施形態の変更例２について説明する。実施形態では、特に触れていないが、突出部９２Ａの溝幅は、第１圧搾溝９１の溝幅よりも小さくてもよい。或いは、第２圧搾溝９２のの溝幅は、全体として、第１圧搾溝９１の溝幅よりも小さくてもよい。これによって、第２圧搾溝９２を起点とする立ち上がりがさらに抑制される。
【０１１８】
［変更例３］
変更例３において、第２圧搾溝９２と第１圧搾溝９１との間隔は、図９に示すように、以下のように変化する。中央領域ＲＸと後部領域ＲＹとに跨がる領域ＲＰにおいて、第２圧搾溝９２と第１圧搾溝９１との間隔は略同じである。言い換えると、領域ＲＰにおいて、第２圧搾溝９２及び第１圧搾溝９１は略平行である。領域ＲＰの前端は、中央領域ＲＸの前端よりも後方である。領域ＲＰの後端は、後部領域ＲＹの後端よりも前方である。
【０１１９】
領域ＲＰよりも後方の領域ＲＱにおいて、第２圧搾溝９２と第１圧搾溝９１との間隔は拡がる。領域ＲＱの前端は、領域ＲＰのの後端と一致する。領域ＲＱの後端は、括れ部９２Ｂが設けられる領域ＲＲの前端と一致する。
【０１２０】
領域ＲＱよりも後方の領域ＲＲにおいて、第２圧搾溝９２と第１圧搾溝９１との間隔は狭まる。領域ＲＲは、括れ部９２Ｂが設けられる領域である。
【０１２１】
領域ＲＲの後方の領域ＲＳにおいて、第２圧搾溝９２と第１圧搾溝９１との間隔は拡がる。領域ＲＳは、突出部９２Ａが設けられる領域である。ここで、領域ＲＳにおける第２圧搾溝９２と第１圧搾溝９１との間隔（上述した間隔Ｗ２）は、領域ＲＱにおける第２圧搾溝９２と第１圧搾溝９１との間隔よりも大きいことに留意すべきである。
【０１２２】
このように、領域ＲＱにおいて第２圧搾溝９２と第１圧搾溝９１との間隔が拡がった上で、領域ＲＱよりも後方の領域ＲＲ（括れ部９２Ｂが設けられる領域）において、第２圧搾溝９２と第１圧搾溝９１との間隔は狭まる。これによって、第２圧搾溝９２を起点として第２圧搾溝９２に対して幅方向Ｗの外側に設けられる部位が着用者側に立ち上がる応力がさらに効果的に括れ部９２Ｂで終端する。従って、括れ部の後方において立ち上がり角度がさらに緩やかになる。
【０１２３】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【０１２４】
実施形態では、幅方向Ｗにおける中間シート７２の内側端部は、幅方向Ｗにおける吸収体３０の外側端部よりも幅方向Ｗの内側に配置されており、中間シート７２及び吸収体３０は、厚み方向Ｔにおいて重なっている。しかしながら、例えば、幅方向Ｗにおける中間シート７２の内側端部は、幅方向Ｗにおける吸収体３０の外側端部よりも幅方向Ｗの外側に配置されており、中間シート７２及び吸収体３０は、厚み方向Ｔにおいて重なっていなくてもよい。
【０１２５】
中間シート７２及び吸収体３０が厚み方向Ｔにおいて重なっていない場合には、吸収体３０と中間シート７２との間の領域には、中間シート７２や吸収体３０が配置されていないため、このような領域の剛性は低い。従って、このような領域は、その周囲の領域に比べて変形しやすい。従って、ウイング部４０を下着の非肌当接面側に折り返した際に、中間シート７２と吸収体３０との間の領域が変形して、捻れによって生じる皺や折り癖がフラップ部５０自体に形成されることを抑制できる。
【０１２６】
また、例えば、凹み部８０の後側端部は、必ずしもフラップ部５０の後側端部に位置してなくてもよく、フラップ部５０の後側端部とずれていてもよい。また、フラップ部５０の着用者に対する当接面は、必ずしもエアースルー不織布によって構成されていなくてもよい。また、中間シート７２は、必ずしもエアースルー不織布によって構成されていなくてもよく、更には、中間シート７２は、必ずしも設けられていなくてもよい。
【０１２７】
実施形態に係る凹み部８０は、線状であるが、例えば、間欠的に配置された複数のドット状の集合体によって構成されていてもよい。また、実施形態に係る凹み部８０は、表面シート１０を構成するサイドシート７１側から裏面シート２０側に圧縮されて形成されているが、例えば、裏面シート２０側からサイドシート７１側に圧縮されて形成されていてもよい。
【符号の説明】
【０１２８】
Ｌ…長手方向、Ｏ…中心、ＲＡ…領域、ＲＢ…領域、ＲＣ…領域、ＲＸ…中央領域、ＲＹ…後部領域、Ｔ…厚み方向、Ｗ…幅方向、１…吸収性物品、１０…表面シート、２０…裏面シート、３０…吸収体、４０…ウイング部、４０Ｆ…前側端部、４０Ｒ…後側端部、４０ＷＭ…ウイング最大幅位置、５０…フラップ部、５０ＷＭ…フラップ最大幅位置、５１…第１フラップ括れ部、５２…第２フラップ括れ部、５３…第１フラップ部、５３ＷＭ…第１最大幅位置、５４…第２フラップ部、５４ＷＭ…第２最大幅位置、５５…第３フラップ部、５５ＷＭ…第３最大幅位置、６０…括れ部、６０Ｒ…後側端部、６０ＷＮ…幅狭位置、７１…サイドシート、７２…中間シート、７５…中央接着部、７６…ウイング接着部、７７…フラップ接着部、８０…凹み部、８０Ｆ…前側端部、８０Ｒ…後側端部、８１…第１フラップ凹み部、８２…第２フラップ凹み部、８３…第３フラップ凹み部、９０…圧搾溝、９１…第１圧搾溝、９２…第２圧搾溝、９３…第３後側圧搾溝、９４…第３前側圧搾溝、９５…第４後側圧搾溝、９６…第４前側圧搾溝
【図１】
2014018481.tif 000003
【図２】
2014018481.tif 000004
【図３】
2014018481.tif 000005
【図４】
2014018481.tif 000006
【図５】
2014018481.tif 000007
【図６】
2014018481.tif 000008
【図７】
2014018481.tif 000009
【図８】
2014018481.tif 000010
【図９】
2014018481.tif 000011